(57)【要約】【課題】  青竹の外観イメージを強く打ち出し、収納時には積み重ねることが出来る容器の提供。【解決手段】  樹脂を材料として射出成形し、底部４を有す上側容器部１とその下側に脚部２を設け、上側容器部１と脚部２の間には外周面８から突出した節部３を全周に形成し、そして上側容器部１の上端面６は青竹を斜めに切断した際の切口のように背後を高くすると共に正面側を低くした傾斜面とし、脚部２の下端面９は水平面とし、さらに脚部２が上側容器部１の収容空間５に嵌ることが出来る大きさとしている。【選択図】    図１
0003121369.tif 000002
【実用新案登録請求の範囲】
【請求項１】
青竹を模った容器であって、樹脂を材料として射出成形し、底部を有す上側容器部とその下側に脚部を設け、上側容器部と脚部の間には外周面から突出した節部を全周に形成し、そして上側容器部の上端面は青竹を斜めに切断した際の切口のように背後を高くすると共に正面側を低くした傾斜面とし、脚部の下端面は水平面とし、さらに脚部が上側容器部の収容空間に嵌ることが出来る大きさとしたことを特徴とする竹を模った容器。
【請求項２】
上側容器部、脚部、節部、及び底部を白色に近い樹脂で成形し、外周面を緑色に塗装した請求項１記載の竹を模った容器。
【請求項３】
上記上側容器部の内周面には脚部が載る小さな支持片を突出して設けた請求項１、又は請求項２記載の竹を模った容器。
【考案の詳細な説明】
【技術分野】
【０００１】
本考案は樹脂製の容器であるがその外観を天然の竹形状に見せ掛けたものであり、収納する際には積み重ねを可能とした容器に関するものである。
【背景技術】
【０００２】
竹と日本の文化との関係は古く、正倉院には数多くの竹製品が保管されている。又、鎌倉時代、室町時代には中国から精巧な竹細工が輸入されて珍重されていることも、昔の書籍には記載されている。竹は、箸、籠、笊などに使用され、また、竹筒を利用してお酒の燗や炊飯などもおこなわれ、生活に密着した且つ衛生上安全な材料とし慣れ親しんで来た材料である。そして、建物の一部にも建材として竹が使用されるケースは多い。
【０００３】
近年においては、竹筒を容器として用いている場合も多く、例えば青竹を水羊羹の容器として利用した商品が売り出されている。このように自然の竹をそのまま用いた容器では、形や容積が同じものを大量に揃えるのは難しく、また青竹の場合では色が時間と共に褪せるという問題があるため、自然の竹を容器として用いている商品では、数量限定や期間限定の販売となってしまう。従って、近年では樹脂を材料として射出成形し、竹の形状を模した容器が水羊羹の容器などに使用されている。
【０００４】
竹に見せ掛けるように形状を模ったものには色々ある。例えば、特開２００３−２３１６号に係る「容器」は、一つ一つ個性のある外観を有する天然の竹を模した形状の容器であり、ポリオレフィン系熱可塑性樹脂と微細化した竹との組成物からなる容器の外周を塗装した構造である。
【特許文献１】特開２００３−２３１６号に係る「容器」
【考案の開示】
【考案が解決しようとする課題】
【０００５】
このように、竹を模った容器には上記のごとき問題がある。本考案が解決しようとする課題はこれら問題点であり、竹としての本来の外観を生かすと共に、収納時には積み重ねることが出来る容器を提供する。
【課題を解決するための手段】
【０００６】
本考案に係る容器は竹を模ったものであり、しかも竹特有の形状を最大限に生かした形態として構成している。そこで、中間部には節部を設けて上側容器部と下側脚部から成っている。そして、上側容器部の上端面は背後を高くすると共に正面側を低くした傾斜面としている。脚部の下端は平坦面をなしてテーブル面やお膳に起立して配置することが出来るように成っている。
【０００７】
そして、脚部の外径は上側容器部の収容空間の内径より小さく成っていて、脚部は上側容器部に嵌って積み重ねることが出来る。中間部位に設けている節部は上側容器部の外周面から突出して形成され、収容空間に嵌った脚部は節部が上側容器部の上端面に当って積み重ねられる。又、上側容器部の内周面には小さな支持片を突出して設け、上側容器部に嵌って脚部が該支持片に載って積み重ねることも出来る。
【考案の効果】
【０００８】
本考案の竹を模った容器は一般に食器として使用され、上側容器部には色々な食物を入れることが出来る。材質は樹脂製であるが、外観が竹の形状をしているために大半の日本料理に適し、竹の素朴さが料理を一段と引き立たせることに成る。そして、上側容器部の上端は水平面でなく正面側を低く傾斜している為に、斜め切口が竹のイメージを引き立てることが出来る。そして上側容器部に収容した料理は見易く、しかも箸を使って食べ易い。一方、脚部は上側容器部に嵌る寸法と成っているために、収納する場合にはガタ付くことなく積み重ねることが出来る。
【実施例】
【０００９】
図１は本考案に係る竹を模った容器であり、その材質は樹脂を射出成形して造られている。同図の１は上側容器部、２は脚部を示し、上側容器部１と脚部２との間には節部３が形成されている。そして、上記節部３とほぼ同じ位置には上側容器部１の底部４が設けられ、上側容器部１内には食べ物を入れることが出来る器として機能する。
【００１０】
この容器はあくまでも青竹を模った形状であり、外周面８の色彩は緑色と成っていて、上側容器部１の収容空間５の内周面１０及び底面１１は白色又は白色に近い色彩と成っている。そこで、白色に近い樹脂を用いて上側容器部１及び脚部２、節部３、さらに底部４が成形され、外周面８や節部３だけを緑色に塗装することが出来る。
【００１１】
そして、上側容器部１の上端面６は水平でなく、背後が高くて正面側が低くなるように傾斜し、青竹を斜めに切断した切口と同じ外観を呈している。このように上端開口７が斜めに成っていることで、上側容器部１に入れた食べ物は正面から見ることが可能と成り、箸を入れて食べ易くなることは勿論であるが、容器としての竹のイメージが強く表現される。
【００１２】
ところで、上側容器部１の収容空間５には脚部２がガタ付くことなく嵌るように大きく成っている。上側容器部１の収容空間５の横断面が円形であるならば、その内径は脚部２の外径より僅かに大きく成っている。その為に、脚部２を上側容器部１の収容空間５に嵌めることで、この容器は上方へ積み重ねることが出来る。
【００１３】
図２は本考案の容器を積み重ねた状態を表しているが、脚部２は上側容器部１の収容空間５に嵌り、脚部２の外周面８から外方向へ突出した節部３が上側容器部１の上端に当って積み重ねられている。同図に示す容器の上側容器部１及び脚部２は概略楕円形と成っており、収容空間５に嵌った脚部２がガタ付かないように、適度なクリアランスを残している。
【００１４】
ここで、上側容器部１の上端面６は傾斜しているが、低く成っている正面側にも脚部２は嵌っている。従って、上方に積み重ねられた容器が外れ落ちることはない。図３は上側容器部１の内周面１０に小さな支持片１２，１２・・を３か所に設けた容器である。このように支持片１２，１２・・を設けることで脚部２が収容空間５に嵌る場合、該支持片１２，１２・・に載って支えられる。
ところで、本考案の容器は食べ物を入れる食器として使用する場合に限らず、花を生ける花立てとして、又は小物類を入れる容器として利用することは自由である。
【図面の簡単な説明】
【００１５】
【図１】本考案に係る竹を模った容器。
【図２】本考案の容器を積み重ねた場合。
【図３】本考案に係る竹を模った別の容器。
【符号の説明】
【００１６】
１  上側容器部
２  脚部
３  節部
４  底部
５  収容空間
６  上端面
７  開口
８  外周面
９  下端面
10  内周面
11  底面
12  支持片
【図１】
0003121369.tif 000003
【図２】
0003121369.tif 000004
【図３】
0003121369.tif 000005